(57)【特許請求の範囲】
【請求項１】
アルカリ源を含むシリカ不飽和アルカリ溶液にゼオライト種結晶を解こうする工程と、
前記ゼオライト種結晶を含む前記シリカ不飽和アルカリ溶液にシリカ源を添加してシリカ飽和アルカリ溶液を調製する工程と、
前記シリカ飽和アルカリ溶液を密閉加熱してゼオライト粉末を合成する工程と、
を備えるゼオライト粉末の製造方法。
【請求項２】
前記シリカ不飽和アルカリ溶液におけるシリカ飽和度は、３０％以下である、
請求項１に記載のゼオライト粉末の製造方法。
【請求項３】
前記シリカ不飽和アルカリ溶液におけるシリカ飽和度は、実質的に０％である、
請求項２に記載のゼオライト粉末の製造方法。
【請求項４】
前記シリカ不飽和アルカリ溶液のｐＨは、１１以上である、
請求項１乃至３のいずれかに記載のゼオライト粉末の製造方法。
【請求項５】
前記シリカ不飽和アルカリ溶液は、前記アルカリ源としてエチレンジアミン及び水酸化ナトリウムの少なくとも一方を含む、
請求項１乃至４のいずれかに記載のゼオライト粉末の製造方法。
【請求項６】
前記ゼオライト粉末を合成する工程の前に、前記シリカ不飽和アルカリ溶液又は前記シリカ飽和アルカリ溶液に構造規定剤を添加する工程を備える、
請求項１乃至５のいずれかに記載のゼオライト粉末の製造方法。
【請求項７】
前記シリカ不飽和アルカリ溶液に前記ゼオライト種結晶を解こうする工程における解こう時間は、５分以上である、
請求項１乃至６のいずれかに記載のゼオライト粉末の製造方法。
【請求項８】
ゼオライト結晶を湿式粉砕することによって前記ゼオライト種結晶を作製する工程を備える、
請求項１乃至７のいずれかに記載のゼオライト粉末の製造方法。
【請求項９】
ゼオライト結晶を湿式粉砕した後に乾燥させることによって前記ゼオライト種結晶を作製する工程を備える、
請求項１乃至７のいずれかに記載のゼオライト粉末の製造方法。
【請求項１０】
ゼオライト結晶を乾式粉砕することによって前記ゼオライト種結晶を作製する工程を備える、
請求項１乃至７のいずれかに記載のゼオライト粉末の製造方法。
【請求項１１】
前記ゼオライト種結晶は、ＤＤＲ型又はＭＦＩ型ゼオライト種結晶であり、
前記ゼオライト粉末は、ＤＤＲ型又はＭＦＩ型ゼオライト粉末である、
請求項１乃至９のいずれかに記載のゼオライト粉末の製造方法。
【発明の詳細な説明】
【技術分野】
【０００１】
本発明は、ゼオライト粉末の製造方法に関する。
【背景技術】
【０００２】
従来、アルカリ源とシリカ源を含み、ゼオライト種結晶が分散された原料溶液を用いてゼオライト粉末を合成する手法が知られている（例えば、特許文献１及び２参照）。特許文献１では、ゼオライト種結晶が分散されたシリカ源をアルカリ源に混合することによって原料溶液が調製されている。特許文献２では、水とシリカ源の混合物にアルカリ源を添加した後にゼオライト種結晶を分散させることによって原料溶液が調製されている。
【先行技術文献】
【特許文献】
【０００３】
【特許文献１】国際公開第２０１０／０９００４９号
【特許文献２】特開２００４−８３３７５号公報
【発明の概要】
【発明が解決しようとする課題】
【０００４】
ところで、ゼオライト粉末の粒子径を小さくするほどゼオライト粉末の触媒活性が高まるため、微細なゼオライト種結晶を用いて粒子径の小さなゼオライト粉末を合成したいという要請がある。【０００５】
しかしながら、特許文献１及び２に記載の手法では、微細なゼオライト種結晶を用いると原料溶液中で凝集してしまうため、ゼオライト粉末の粒子径を小さくするにも限界がある。【０００６】
本発明は、上述の状況に鑑みてなされたものであり、粒子径の小さなゼオライト粉末の製造方法に関する。
【課題を解決するための手段】
【０００７】
本発明に係るゼオライト粉末の製造方法は、アルカリ源を含むシリカ不飽和アルカリ溶液にゼオライト種結晶を解こうする工程と、ゼオライト種結晶を含むシリカ不飽和アルカリ溶液にシリカ源を添加してシリカ飽和アルカリ溶液を調製する工程と、シリカ飽和アルカリ溶液を密閉加熱してゼオライト粉末を合成する工程とを備える。
【発明の効果】
【０００８】
本発明によれば、粒子径の小さなゼオライト粉末の製造方法を提供することができる。
【図面の簡単な説明】
【０００９】
【図１】ゼオライト粉末の製造方法を示すフロー図
【図２】ゼオライト結晶を示す模式図
【図３】ゼオライト種結晶を示す模式図
【図４】シリカ不飽和アルカリ溶液によってゼオライト種結晶が解こうされる様子を示す模式図
【図５】ゼオライト粉末が合成される様子を示す模式図
【発明を実施するための形態】
【００１０】
（ゼオライト粉末の製造方法）
本実施形態に係るゼオライト粉末の製造方法について、図面を参照しながら説明する。図１は、ゼオライト粉末の製造方法を示すフロー図である。
【００１１】
１．ゼオライト結晶の調製（ステップＳ１）
まず、ゼオライト結晶を調製する。図２は、ゼオライト結晶を示す模式図である。ゼオライト結晶は、水熱合成など既存の手法により合成したもの、又は、市販のゼオライト結晶を使用することができる。ゼオライト結晶は、溶媒に分散した状態でも、乾燥した状態でもよい。
【００１２】
ゼオライト結晶の種類（型）は特に制限されるものではなく、例えばＤＤＲ、ＣＨＡ、ＲＨＯ、ＡＦＸ、ＬＴＡ、ＭＦＩ、ＭＯＲ、ＦＥＲ、ＦＡＵなどから選択することができる。ゼオライト結晶の種類は特に制限されないが、ゼオライト粉末の効率的な合成を考慮すると、合成されるゼオライト粉末の結晶型と同じであることが好ましい。すなわち、ＤＤＲ型ゼオライト粉末を合成する場合には、ＤＤＲ型のゼオライト結晶を用いることが好ましい。ＤＤＲ型のゼオライト結晶の調製方法の詳細は、「Ｍ．  Ｊ．  ｄｅｎ  Ｅｘｔｅｒ，  Ｊ．  Ｃ．  Ｊａｎｓｅｎ，  Ｈ．  ｖａｎ  Ｂｅｋｋｕｍ，  Ｓｔｕｄｉｅｓ  ｉｎ  Ｓｕｒｆａｃｅ  Ｓｃｉｅｎｃｅ  ａｎｄ  Ｃａｔａｌｙｓｉｓ  ｖｏｌ．８４，  Ｅｄ．  ｂｙ  Ｊ．  Ｗｅｉｔｋａｍｐ  ｅｔ  ａｌ．，  Ｅｌｓｅｖｉｅｒ  （１９９４）１１５９−１１６６」に記載されているとおりである。
【００１３】
ゼオライト結晶の平均粒子径は特に制限されるものではなく、１００ｎｍ以上５０００ｎｍ以下とすることができる。ゼオライト種結晶を短時間で作製することを考慮すると、ゼオライト結晶の粒子径は、５００ｎｍ以下が好ましく、３００ｎｍ以下がより好ましい。ゼオライト結晶の平均粒子径は、ゼオライト結晶が溶液に分散させた状態（以下、ゼオライト結晶分散溶液）の場合は、動的光散乱法による粒度分布測定でのメジアン径（ｄ５０）によって規定され、ゼオライト結晶が乾燥した状態の場合には、透過型電子顕微鏡（ＳＥＭ）で観察した画像から無作為に選んだ一次粒子１０個の面積円相当径（ヘイウッド径）の平均によって規定される。
【００１４】
ゼオライト結晶分散溶液の分散媒は特に制限されるものではなく、水、エタノール等のアルコール、又はこれらの混合溶媒などを用いることができる。取り扱い性とコストを考慮すると、分散媒としては水が好ましい。ゼオライト結晶分散溶液におけるゼオライト結晶の含有量は特に制限されるものではないが、例えば１ｗｔ％以上３０ｗｔ％以下とすることができる。
【００１５】
２．ゼオライト種結晶の調製（ステップＳ２）
次に、ゼオライト結晶を湿式、又は乾式粉砕することによって、ゼオライト種結晶を調製する。図３は、ゼオライト種結晶を示す模式図である。
【００１６】
湿式粉砕は、ビーズミル等を用いて行うことができる。乾式粉砕は、遊星ボールミルや乳鉢を用いて行うことができる。粉砕によって、ゼオライト結晶が粉砕されてゼオライト種結晶が作製される。
【００１７】
ゼオライト種結晶の粒子径は特に制限されるものではなく、例えば１０ｎｍ以上３００ｎｍ以下とすることができる。粒子径の小さいゼオライト粉末を合成することを考慮すると、ゼオライト種結晶の粒子径は、２００ｎｍ以下が好ましく、１５０ｎｍ以下がより好ましい。このように微細なゼオライト種結晶は、図３に示すように、アモルファス成分によって、又は、ゼオライト種結晶同士の引力によって、又は粉砕時の衝撃力によって凝集しやすい。
【００１８】
凝集したゼオライト種結晶の平均粒子径は、湿式粉砕した場合は、動的光散乱法による粒度分布測定でのメジアン径（ｄ５０）によって規定され、乾式粉砕した場合には、ＢＥＴ１点法にて測定した比表面積から粒子を球形仮定したときに算出される粒子径によって規定される。
【００１９】
粉砕時間は特に制限されるものではないが、例えば３０分以上１２０分以下とすることができる。湿式粉砕を行った場合、粉砕処理後の分散溶液をそのまま後工程に用いることもできるが、粉砕時に不純物が混入するおそれがあることを考慮すると、遠心分離などの比重分離で、不純物を取り除いてからゼオライト種結晶を回収することが好ましい。
【００２０】
湿式粉砕を行った場合は、ゼオライト種結晶の分散した溶液（ゼオライト種結晶分散溶液）が得られる。ゼオライト種結晶分散溶液におけるゼオライト種結晶の含有量は特に制限されるものではないが、例えば０．５ｗｔ％以上２０ｗｔ％以下とすることができる。
【００２１】
３．シリカ不飽和アルカリ溶液の調製（ステップＳ３）
次に、アルカリ源を含むシリカ不飽和アルカリ溶液を調製する。
【００２２】
アルカリ源としては、有機アルカリ、無機アルカリ、又はこれらの混合物を用いることができる。有機アルカリとしては、エチレンジアミン、ヒドラジン、エタノールアミンなどを用いることができる。無機アルカリとしては、水酸化ナトリウム（ＮａＯＨ）及び水酸化カリウム（ＫＯＨ）などのアルカリ金属水酸化物、Ｃａ(ＯＨ)2などのアルカリ土類金属水酸化物、又はこれらの混合物を用いることができる。
【００２３】
有機アルカリを用いる場合、溶媒はなくてもよいが、シリカ（ＳｉＯ2）の飽和度を小さくするため、水と混合して使用することが好ましい。無機アルカリを用いる場合、溶媒として水、低級アルコール、又はこれらの混合溶媒などを用いることができる。
【００２４】
シリカ不飽和アルカリ溶液において、シリカは飽和していない状態である。後述するように、ゼオライト種結晶を効率的に解こうすることを考慮すると、シリカ不飽和アルカリ溶液におけるシリカ飽和度は低いことが好ましい。シリカ不飽和アルカリ溶液におけるシリカ飽和度は、３０％以下が好ましく、２０％以下がより好ましく、実質的に０％であることが特に好ましい。なお、シリカ不飽和アルカリ溶液はシリカが不飽和の状態であればよく、シリカ不飽和アルカリ溶液には後述するシリカ源の一部が添加されていてもよい。
【００２５】
シリカ不飽和アルカリ溶液のｐＨは特に制限されるものではないが、後述するように、解こう後のゼオライト種結晶の再凝集を抑制することを考慮すると、１１以上であることが好ましく、１１．５以上であることがより好ましい。
【００２６】
シリカ不飽和アルカリ溶液には、構造規定剤（有機テンプレート）が添加されてもよい。シリカ不飽和アルカリ溶液に構造規定剤を添加することによって、合成されるゼオライト粉末におけるケイ素原子の割合を高くして耐酸性を向上させることができる。構造規定剤は特に制限されるものではなく、アミン類や４級アンモニウム塩などを用いることができる。アミン類としては、１−アダマンタンアミン、３−キナクリジナール、及び３−ｅｘｏ−アミノノルボルネンなどの脂環式アミンから誘導されるカチオンが挙げられる。ＤＤＲ型ゼオライトを合成する場合、構造規定剤としては、これらのうち１−アダマンタンアミンから誘導されるカチオンが特に好ましい。シリカ不飽和アルカリ溶液に構造規定剤を添加した場合、超音波処理などによって、構造規定剤をシリカ不飽和アルカリ溶液に分散させることが好ましい。
【００２７】
４．ゼオライト種結晶の解こう（ステップＳ４）
次に、シリカ不飽和アルカリ溶液にゼオライト種結晶を添加することによって、ゼオライト種結晶を解こうする。ここでは、湿式粉砕によって得られる溶媒に分散されたゼオライト種結晶(ゼオライト種結晶分散溶液)を用いた場合について説明する。図４は、シリカ不飽和アルカリ溶液によってゼオライト種結晶が解こうされる様子を示す模式図である。
【００２８】
ゼオライト種結晶分散溶液に含まれているゼオライト種結晶は、シリカ不飽和アルカリ溶液によって解こうされる。具体的には、図４に示すように、ゼオライト種結晶を凝集させているアモルファス成分を溶解させることによって、又は、引力によって凝集しているゼオライト種結晶の接合部を溶解させることによって、１つ１つのゼオライト種結晶が離れた状態になる。この際、ゼオライト種結晶にはシリカ不飽和アルカリ溶液のｐＨ値に応じた固有のゼータ電位が生じるため、ゼオライト種結晶は引き離された状態で保持される。
【００２９】
解こうされたゼオライト種結晶の粒子径は特に制限されるものではなく、例えば１０ｎｍ以上２５０ｎｍ以下とすることができる。粒子径の小さいゼオライト粉末を合成することを考慮すると、解こうされたゼオライト種結晶の粒子径は、１７０ｎｍ以下が好ましく、１００ｎｍ以下がより好ましい。解こうされたゼオライト種結晶の平均粒子径は、動的光散乱法による粒度分布測定でのメジアン径（ｄ５０）によって規定される。
【００３０】
解こう時間は特に制限されるものではなく、例えば５分以上２４０分以下とすることができる。ゼオライト種結晶を十分に解こうすることを考慮すると、解こう時間は５分以上が好ましく、１５分以上がより好ましく、３０分以上が特に好ましい。また、ゼオライト種結晶の完全な溶解の防止を考慮すると、解こう時間は１８０分以下が好ましく、１２０分以下がより好ましく、６０分以下が特に好ましい。
【００３１】
シリカ不飽和アルカリ溶液におけるゼオライト種結晶の含有量は特に制限されるものではないが、例えば０．１ｗｔ％以上１５ｗｔ％以下とすることができる。
【００３２】
５．シリカ飽和アルカリ溶液の調製（ステップＳ５）
次に、解こうされたゼオライト種結晶を含むシリカ不飽和アルカリ溶液にシリカ源を添加することによって、シリカ飽和アルカリ溶液を調製する。
【００３３】
シリカ源としては、例えば、無定形シリカ、コロイダルシリカ、シリカゲル、ケイ酸ナトリウム、無定形アルミのシリケートゲル、テトラエトキシシラン（ＴＥＯＳ）、トリメチルエトキシシラン、又はこれらの混合物などを用いることができる。
【００３４】
シリカ飽和アルカリ溶液において、シリカは飽和している状態である。シリカ飽和アルカリ溶液では、シリカが過飽和の状態であることが好ましい。すなわち、シリカ飽和アルカリ溶液におけるシリカ飽和度は、１００％超であることが好ましい。
【００３５】
シリカ飽和アルカリ溶液におけるゼオライト種結晶の量は特に制限されるものではなく、シリカ飽和アルカリ溶液におけるゼオライト種結晶の含有量は、例えば０．１ｗｔ％以上１０ｗｔ％以下とすることができる。
【００３６】
６．ゼオライト粉末の合成（ステップＳ６）
次に、シリカ飽和アルカリ溶液を密閉加熱することによって、ゼオライト粉末を水熱合成する。図５は、ゼオライト粉末が合成される様子を示す模式図である。
【００３７】
水熱合成の加熱温度は特に限定されないが、８０℃以上２００℃以下とすることができる。ゼオライトの効率的な結晶化を考慮すると、水熱合成の加熱温度は１００℃以上が好ましく、１２０℃以上がより好ましい。また、ゼオライト種結晶と異なる結晶種のゼオライト粉末が合成されることを抑制するには、水熱合成の加熱温度は１９０℃以下が好ましく、１８０℃以下がより好ましい。
【００３８】
水熱合成の加熱時間は特に限定されないが、１時間以上１０日以下とすることができる。ゼオライトの十分な結晶化を考慮すると、水熱合成の加熱時間は５時間以上が好ましく、１０時間以上がより好ましい。また、ゼオライト種結晶と異なる結晶種のゼオライト粉末が合成されることを抑制するには、水熱合成の加熱時間は５日以下が好ましく、３日以下がより好ましい。
【００３９】
そして、合成されたゼオライト粉末を水洗した後に加熱処理することによって、構造規定剤を焼却する。加熱処理温度は特に制限されないが、３５０℃以上９００℃以下とすることができる。加熱処理時間は、０．５時間以上２００時間以下とすることができる。
【００４０】
（他の実施形態）
上記実施形態では、ゼオライト種結晶分散溶液をアルカリ源に添加することとしたが、乾式粉砕して調整したゼオライト種結晶、又はゼオライト種結晶分散溶液から回収して乾燥させたゼオライト種結晶をアルカリ源に添加してもよい。この場合、乾燥によってゼオライト種結晶は凝集しやすいが、シリカ不飽和アルカリ溶液で解こうすることによって、ゼオライト種結晶同士を引き離すことができる。なお、ゼオライト種結晶は、濾過やデカンテーションによって、又は、ゼオライト種結晶分散溶液をそのまま乾燥（例えば、８０℃）させることによって、ゼオライト種結晶分散溶液から回収することができる。
【００４１】
上記実施形態では、シリカ不飽和アルカリ溶液に構造規定剤を添加することとしたが、シリカ飽和アルカリ溶液に構造規定剤を添加してもよい。また、シリカ不飽和アルカリ溶液には構造規定剤を添加しなくてもよい。
【実施例】
【００４２】
以下において本発明の実施例について説明する。ただし、本発明は以下に説明する実施例に限定されるものではない。【００４３】
（実施例１）
１．ゼオライト種結晶の作製
国際公開第２０１０／０９００４９号に記載の方法に従って、平均粒子径が１．１μｍのＤＤＲ型ゼオライト結晶を含むＤＤＲ型ゼオライト結晶分散溶液を調製した。【００４４】
次に、ＤＤＲ型ゼオライト結晶を７ｗｔ％含むＤＤＲ型ゼオライト結晶分散溶液５００ｇをビーズミルにて９０分湿式粉砕した。そして、純水を加えながらＤＤＲ型ゼオライト種結晶を回収することによって、３．７ｗｔ％の固形分を含むＤＤＲ型ゼオライト種結晶分散溶液を作製した。【００４５】
２．アルカリ処理
強アルカリであるエチレンジアミン（以下、「ＥＤＡ」という。）４．２１ｇに１−アダマンタンアミン（以下、「１−ＡＤＡ」という。）０．６６ｇを加えた。そして、超音波により１−ＡＤＡを完全に溶解させることによって、シリカ不飽和アルカリ溶液を調製した。シリカ不飽和アルカリ溶液のｐＨは、１２．２であった。シリカ不飽和アルカリ溶液におけるシリカ飽和度は、０％であった。【００４６】
次に、シリカ不飽和アルカリ溶液にＤＤＲ型ゼオライト種結晶分散溶液を２６．８ｇ加えて３０分攪拌することによって、ＤＤＲ型ゼオライト種結晶を解こうさせた。【００４７】
３．ＤＤＲ型ゼオライト粉末の合成
シリカ源となるコロイダルシリカ（ＳｉＯ2３０ｗｔ％溶液）３２．６ｇと純水２３．０ｇの混合溶液を、ＤＤＲ型ゼオライト種結晶を含むシリカ不飽和アルカリ溶液に加えて６０分攪拌することによって、シリカ飽和アルカリ溶液を調製した。【００４８】
次に、シリカ飽和アルカリ溶液を１００ｍｌのテフロン（登録商標）容器に移し、熱風乾燥機を用いて水熱合成（１６０℃、１６時間）することによって、ＤＤＲ型ゼオライト粉末を合成した。ＤＤＲ型ゼオライト粉末の回収率は、１−ＡＤＡを基準としてほぼ１００％であった。そして、テフロン（登録商標）容器を冷却した後、合成したＤＤＲ型ゼオライト粉末を純水４００ｍｌで洗浄した。【００４９】
次に、実施例１に係るＤＤＲ型ゼオライト粉末の平均粒子径を粒度分布測定装置（マイクロトラック・ベル社製、ナノトラック型式ＵＰＡ−ＥＸ１５０）で測定したところ１７５ｎｍであった。また、実施例１に係るＤＤＲ型ゼオライト粉末の結晶相をＸ線回折装置にて確認したところＤＤＲ型であった。【００５０】
（実施例２）
１．ゼオライト種結晶の作製
実施例１と同じ手法によって、平均粒子径が１７９ｎｍのＤＤＲ型ゼオライト結晶を含むＤＤＲ型ゼオライト結晶分散溶液を調製した。【００５１】
次に、ＤＤＲ型ゼオライト結晶を７ｗｔ％含むＤＤＲ型ゼオライト結晶分散溶液５００ｇにＥＤＡ３０ｇを添加した後、ビーズミルにて９０分湿式粉砕した。そして、純水を加えながらＤＤＲ型ゼオライト種結晶を回収することによって、３．７ｗｔ％の固形分を含むＤＤＲ型ゼオライト種結晶分散溶液を作製した。【００５２】
２．アルカリ処理
実施例１と同じ手法によって、シリカ不飽和アルカリ溶液を調製した。次に、シリカ不飽和アルカリ溶液にＤＤＲ型ゼオライト種結晶分散溶液を２６．８ｇ加えて３０分間超音波照射することによって、ＤＤＲ型ゼオライト種結晶を解こうさせた。【００５３】
３．ＤＤＲ型ゼオライト粉末の合成
シリカ源となるコロイダルシリカ（ＳｉＯ2３０ｗｔ％溶液）３２．６ｇと純水１１０．３ｇの混合溶液を、ＤＤＲ型ゼオライト種結晶を含むシリカ不飽和アルカリ溶液に加えて６０分攪拌することによって、シリカ飽和アルカリ溶液を調製した。【００５４】
次に、シリカ飽和アルカリ溶液を１００ｍｌのテフロン（登録商標）容器に移し、熱風乾燥機を用いて水熱合成（１４０℃、１６時間）することによって、ＤＤＲ型ゼオライト粉末を合成した。そして、テフロン（登録商標）容器を冷却した後、合成したＤＤＲ型ゼオライト粉末を純水４００ｍｌで洗浄した。なお、ＤＤＲ型ゼオライト粉末の回収率は、１−ＡＤＡを基準としてほぼ１００％であった。【００５５】
次に、実施例１と同じ手法によって、実施例２に係るＤＤＲ型ゼオライト粉末の平均粒子径を測定したところ１４３ｎｍであった。また、実施例１と同じ手法によって、実施例２に係るＤＤＲ型ゼオライト粉末の結晶相がＤＤＲ型であることを確認した。【００５６】
（実施例３）
水熱合成条件を１２０℃、２０時間としたこと以外は、実施例２と同じ工程でＤＤＲ型ゼオライト粉末を合成した。ＤＤＲ型ゼオライト粉末の回収率は、１−ＡＤＡを基準として９０％以上であった。【００５７】
実施例１と同じ手法によって、実施例３に係るＤＤＲ型ゼオライト粉末の平均粒子径を測定したところ１１４ｎｍであった。また、実施例１と同じ手法によって、実施例３に係るＤＤＲ型ゼオライト粉末の結晶相がＤＤＲ型であることを確認した。【００５８】
（実施例４）
アルカリ処理において６０分間超音波照射したこと以外は、実施例３と同じ工程でＤＤＲ型ゼオライト粉末を合成した。ＤＤＲ型ゼオライト粉末の回収率は、１−ＡＤＡを基準として９０％以上であった。【００５９】
実施例１と同じ手法によって、実施例４に係るＤＤＲ型ゼオライト粉末の平均粒子径を測定したところ１１４ｎｍであった。また、実施例１と同じ手法によって、実施例４に係るＤＤＲ型ゼオライト粉末の結晶相がＤＤＲ型であることを確認した。【００６０】
（実施例５）
アルカリ処理において、ＥＤＡに代えて１０ＭのＮａＯＨ水溶液を用いたシリカ不飽和アルカリ溶液に１−ＡＤＡを添加した後、２０分間超音波照射して白濁状態にしたシリカ不飽和アルカリ溶液にＤＤＲ型ゼオライト種結晶分散溶液を添加したこと以外は、実施例１と同じ工程でＤＤＲ型ゼオライト粉末を合成した。シリカ不飽和アルカリ溶液のｐＨは、１４．４であった。シリカ不飽和アルカリ溶液におけるシリカ飽和度は、０％であった。ＤＤＲ型ゼオライト粉末の回収率は、１−ＡＤＡを基準としてほぼ１００％以上であった。【００６１】
実施例１と同じ手法によって、実施例５に係るＤＤＲ型ゼオライト粉末の平均粒子径を測定したところ１６４ｎｍであった。また、実施例１と同じ手法によって、実施例５に係るＤＤＲ型ゼオライト粉末の結晶相がＤＤＲ型であることを確認した。【００６２】
（実施例６）
アルカリ処理において、ＥＤＡに代えて１ＭのＮａＯＨ水溶液を用いたシリカ不飽和アルカリ溶液に１−ＡＤＡを添加した後、２０分間超音波照射して白濁状態にしたシリカ不飽和アルカリ溶液にＤＤＲ型ゼオライト種結晶分散溶液を添加したこと以外は、実施例１と同じ工程でＤＤＲ型ゼオライト粉末を合成した。シリカ不飽和アルカリ溶液のｐＨは、１３．９であった。シリカ不飽和アルカリ溶液におけるシリカ飽和度は、０％であった。ＤＤＲ型ゼオライト粉末の回収率は、１−ＡＤＡを基準としてほぼ１００％以上であった。【００６３】
実施例１と同じ手法によって、実施例６に係るＤＤＲ型ゼオライト粉末の平均粒子径を測定したところ１１５ｎｍであった。また、実施例１と同じ手法によって、実施例６に係るＤＤＲ型ゼオライト粉末の結晶相がＤＤＲ型であることを確認した。【００６４】
（実施例７）
アルカリ処理において、ＥＤＡに代えて１ＭのＮａＯＨ水溶液を用いてシリカ不飽和アルカリ溶液を調製した以外は、実施例２と同じ工程でＤＤＲ型ゼオライト粉末を合成した。シリカ不飽和アルカリ溶液のｐＨは、１４．０であった。シリカ不飽和アルカリ溶液におけるシリカ飽和度は、０％であった。ＤＤＲ型ゼオライト粉末の回収率は、１−ＡＤＡを基準として９０％以上であった。【００６５】
実施例１と同じ手法によって、実施例７に係るＤＤＲ型ゼオライト粉末の平均粒子径を測定したところ１０２ｎｍであった。また、実施例１と同じ手法によって、実施例７に係るＤＤＲ型ゼオライト粉末の結晶相がＤＤＲ型であることを確認した。【００６６】
（実施例８）
アルカリ処理において、ＥＤＡに代えて１ＭのＮａＯＨ水溶液を用いてシリカ不飽和アルカリ溶液を調製した以外は、実施例４と同じ工程でＤＤＲ型ゼオライト粉末を合成した。シリカ不飽和アルカリ溶液のｐＨは、１３．９であった。シリカ不飽和アルカリ溶液におけるシリカ飽和度は、０％であった。ＤＤＲ型ゼオライト粉末の回収率は、１−ＡＤＡを基準として９０％以上であった。【００６７】
実施例１と同じ手法によって、実施例８に係るＤＤＲ型ゼオライト粉末の平均粒子径を測定したところ１０５ｎｍであった。また、実施例１と同じ手法によって、実施例８に係るＤＤＲ型ゼオライト粉末の結晶相がＤＤＲ型であることを確認した。【００６８】
（実施例９）
湿式粉砕で作製したＤＤＲ型ゼオライト種結晶分散溶液を一度乾燥させたものを純水に再分散することによってＤＤＲ型ゼオライト種結晶分散溶液を作製した以外は、実施例４と同じ工程でＤＤＲ型ゼオライト粉末を合成した。ＤＤＲ型ゼオライト粉末の回収率は、１−ＡＤＡを基準として９０％以上であった。【００６９】
実施例１と同じ手法によって、実施例９に係るＤＤＲ型ゼオライト粉末の平均粒子径を測定したところ１２６ｎｍであった。また、実施例１と同じ手法によって、実施例９に係るＤＤＲ型ゼオライト粉末の結晶相がＤＤＲ型であることを確認した。【００７０】
（実施例１０）
ＤＤＲ型ゼオライト結晶をボールミルで7日間乾式粉砕したものを純水に分散させることによってＤＤＲ型ゼオライト種結晶分散溶液を作製し、アルカリ処理において６０分超音波照射した以外は、実施例５と同じ工程でＤＤＲ型ゼオライト粉末を合成した。ＤＤＲ型ゼオライト粉末の回収率は、１−ＡＤＡを基準としてほぼ１００％であった。【００７１】
実施例１と同じ手法によって、実施例１０に係るＤＤＲ型ゼオライト粉末の平均粒子径を測定したところ２１８ｎｍであった。また、実施例１と同じ手法によって、実施例１０に係るＤＤＲ型ゼオライト粉末の結晶相がＤＤＲ型であることを確認した。【００７２】
（実施例１１）
１．ゼオライト種結晶の作製
純水に、４０ｗｔ％テトラプロピルアンモニウムヒドロキシド(以下、ＴＰＡＯＨ)水溶液とテトラプロピルアンモニウムブロミド(以下、ＴＰＡＢｒ)を加え、透明になるまで攪拌した。そこに、シリカ源となるコロイダルシリカ（ＳｉＯ2３０ｗｔ％溶液）を加えて攪拌し、組成比が1ＳｉＯ2：０．３６ＴＰＡＯＨ：０．３６ＴＰＡＢｒ：１５Ｈ2Ｏの原料溶液を調整した。この原料溶液をテフロン（登録商標）容器に移し、熱風乾燥機を用いて水熱合成（１１０℃、１２時間）することによって、平均粒子径が２０４ｎｍのＭＦＩ型ゼオライト結晶を含むＭＦＩ型ゼオライト結晶分散溶液を調製した。【００７３】
次に、ＭＦＩ型ゼオライト結晶を１０ｗｔ％含むＭＦＩ型ゼオライト結晶分散溶液５００ｇをボールミルにて１０日間湿式粉砕した。そして、純水を加えながらＭＦＩ型ゼオライト種結晶を回収することによって、４．８ｗｔ％の固形分を含むＭＦＩ型ゼオライト種結晶分散溶液を作製した。【００７４】
２．アルカリ処理
強アルカリである５ＭＮａＯＨ水溶液５６．７７ｇにＴＰＡＢｒ２．０１ｇと硫酸アルミニウム０．２２ｇを加えた。そして、攪拌によりＴＰＡＢｒと硫酸アルミニウムを完全に溶解させることによって、シリカ不飽和アルカリ溶液を調製した。シリカ不飽和アルカリ溶液のｐＨは、１３．０であった。シリカ不飽和アルカリ溶液におけるシリカ飽和度は、０％であった。【００７５】
次に、シリカ不飽和アルカリ溶液にＭＦＩ型ゼオライト種結晶分散溶液を１５．００ｇ加えて１０分攪拌することによって、ＭＦＩ型ゼオライト種結晶を解こうさせた。【００７６】
３．ＭＦＩ型ゼオライト粉末の合成
シリカ源となるコロイダルシリカ（ＳｉＯ2３０ｗｔ％溶液）６．００ｇを、ＭＦＩ型ゼオライト種結晶を含むシリカ不飽和アルカリ溶液に加えて６０分攪拌することによって、シリカ飽和アルカリ溶液を調製した。【００７７】
次に、シリカ飽和アルカリ溶液を１００ｍｌのテフロン（登録商標）容器に移し、熱風乾燥機を用いて水熱合成（１６０℃、２０時間）することによって、ＭＦＩ型ゼオライト粉末を合成した。そして、テフロン（登録商標）容器を冷却した後、合成したＭＦＩ型ゼオライト粉末を純水４００ｍｌで洗浄した。ＭＦＩ型ゼオライト粉末の回収率は、Ａｌを基準として９０％以上であった。【００７８】
次に、実施例１と同じ手法によって、実施例１１に係るＭＦＩ型ゼオライト粉末の平均粒子径を測定したところ１６８ｎｍであった。また、実施例１と同じ手法によって、実施例１１に係るＭＦＩ型ゼオライト粉末の結晶相がＭＦＩ型であることを確認した。【００７９】
（比較例１）
１．ゼオライト種結晶の作製
実施例１と同じ手法でＤＤＲ型ゼオライト種結晶分散溶液を作製した。【００８０】
２．ＤＤＲ型ゼオライト粉末の合成
ＥＤＡ４．２１ｇに１−ＡＤＡ０．６６ｇを加えて完全に溶解した。そして、純水２３．０ｇにＤＤＲ型ゼオライト種結晶分散溶液２６．８ｇとコロイダルシリカ３２．６ｇを加えて軽く攪拌し、さらに１−ＡＤＡを溶解したＥＤＡを加えて６０分攪拌することによって、シリカ飽和アルカリ溶液を調製した。【００８１】
次に、実施例１と同様に、シリカ飽和アルカリ溶液を１００ｍｌのテフロン（登録商標）容器に移し、熱風乾燥機を用いて水熱合成（１６０℃、１６時間）することによって、ＤＤＲ型ゼオライト粉末を合成した。ＤＤＲ型ゼオライト粉末の回収率は、１−ＡＤＡを基準としてほぼ１００％であった。そして、テフロン（登録商標）容器を冷却した後、合成したＤＤＲ型ゼオライト粉末を純水４００ｍｌで洗浄した。【００８２】
次に、実施例１と同じ手法によって、比較例１に係るＤＤＲ型ゼオライト粉末の平均粒子径を測定したところ１８７ｎｍであった。また、実施例１と同じ手法によって、比較例１に係るＤＤＲ型ゼオライト粉末の結晶相がＤＤＲ型であることを確認した。【００８３】
（比較例２）
１．ゼオライト種結晶の作製
実施例２と同じ手法によって、平均粒子径が１７９ｎｍのＤＤＲ型ゼオライト結晶を含むＤＤＲ型ゼオライト結晶分散溶液を調製した。【００８４】
次に、ＤＤＲ型ゼオライト結晶を７ｗｔ％含むＤＤＲ型ゼオライト結晶分散溶液５００ｇにＥＤＡ３０ｇを添加した後、ビーズミルにて９０分湿式粉砕した。そして、純水を加えながらＤＤＲ型ゼオライト種結晶を回収することによって、３．７ｗｔ％の固形分を含むＤＤＲ型ゼオライト種結晶分散溶液を作製した。【００８５】
２．ＤＤＲ型ゼオライト粉末の合成
ＥＤＡ４．２１ｇに１−ＡＤＡ０．６６ｇを加えて完全に溶解した。そして、純水１１０．３ｇにＤＤＲ型ゼオライト種結晶分散溶液２６．８ｇとコロイダルシリカ３２．６ｇを加えて軽く攪拌し、さらに１−ＡＤＡを溶解したＥＤＡを加えて３０分間超音波照射することによって、シリカ飽和アルカリ溶液を調製した。【００８６】
次に、実施例２と同様に、シリカ飽和アルカリ溶液を１００ｍｌのテフロン（登録商標）容器に移し、熱風乾燥機を用いて水熱合成（１４０℃、１６時間）することによって、ＤＤＲ型ゼオライト粉末を合成した。ＤＤＲ型ゼオライト粉末の回収率は、１−ＡＤＡを基準としてほぼ１００％であった。そして、テフロン（登録商標）容器を冷却した後、合成したＤＤＲ型ゼオライト粉末を純水４００ｍｌで洗浄した。【００８７】
次に、実施例１と同じ手法によって、比較例２に係るＤＤＲ型ゼオライト粉末の平均粒子径を測定したところ１５３ｎｍであった。また、実施例１と同じ手法によって、比較例２に係るＤＤＲ型ゼオライト粉末の結晶相がＤＤＲ型であることを確認した。【００８８】
（比較例３）
水熱合成条件を１２０℃、２０時間としたこと以外は、比較例２と同じ工程でＤＤＲ型ゼオライト粉末を合成した。ＤＤＲ型ゼオライト粉末の回収率は、１−ＡＤＡを基準として９０％以上であった。【００８９】
実施例１と同じ手法によって、比較例３に係るＤＤＲ型ゼオライト粉末の平均粒子径を測定したところ１３７ｎｍであった。また、実施例１と同じ手法によって、比較例３に係るＤＤＲ型ゼオライト粉末の結晶相がＤＤＲ型であることを確認した。【００９０】
（比較例４）
ＤＤＲ型ゼオライト粉末の合成工程において、ＥＤＡに代えて１０ＭのＮａＯＨ水溶液を用い、かつ、１−ＡＤＡの添加後に２０分超音波照射して白濁状態にしたＤＤＲ型ゼオライト種結晶分散溶液を添加したこと以外は、比較例１と同じ工程でＤＤＲ型ゼオライト粉末を合成した。ＤＤＲ型ゼオライト粉末の回収率は、１−ＡＤＡを基準としてほぼ１００％以上であった。【００９１】
実施例１と同じ手法によって、比較例４に係るＤＤＲ型ゼオライト粉末の平均粒子径を測定したところ１８２ｎｍであった。また、実施例１と同じ手法によって、比較例４に係るＤＤＲ型ゼオライト粉末の結晶相がＤＤＲ型であることを確認した。【００９２】
（比較例５）
ＤＤＲ型ゼオライト粉末の合成工程において、ＥＤＡに代えて１ＭのＮａＯＨ水溶液を用い、かつ、１−ＡＤＡの添加後に２０分超音波照射して白濁状態にしたＤＤＲ型ゼオライト種結晶分散溶液を添加したこと以外は、比較例１と同じ工程でＤＤＲ型ゼオライト粉末を合成した。ＤＤＲ型ゼオライト粉末の回収率は、１−ＡＤＡを基準として９０％以上であった。【００９３】
実施例１と同じ手法によって、比較例５に係るＤＤＲ型ゼオライト粉末の平均粒子径を測定したところ１４２ｎｍであった。また、実施例１と同じ手法によって、比較例５に係るＤＤＲ型ゼオライト粉末の結晶相がＤＤＲ型であることを確認した。【００９４】
（比較例６）
ＤＤＲ型ゼオライト粉末の合成工程において、ＥＤＡに代えて１ＭのＮａＯＨ水溶液を用いたこと以外は、比較例２と同じ工程でＤＤＲ型ゼオライト粉末を合成した。ＤＤＲ型ゼオライト粉末の回収率は、１−ＡＤＡを基準として９０％以上であった。【００９５】
実施例１と同じ手法によって、比較例６に係るＤＤＲ型ゼオライト粉末の平均粒子径を測定したところ１３３ｎｍであった。また、実施例１と同じ手法によって、比較例５に係るＤＤＲ型ゼオライト粉末の結晶相がＤＤＲ型であることを確認した。【００９６】
（比較例７）
ＤＤＲ型ゼオライト粉末の合成工程において、ＥＤＡに代えて１ＭのＮａＯＨ水溶液を用いたこと以外は、比較例３と同じ工程でＤＤＲ型ゼオライト粉末を合成した。ＤＤＲ型ゼオライト粉末の回収率は、１−ＡＤＡを基準として９０％以上であった。【００９７】
実施例１と同じ手法によって、比較例７に係るＤＤＲ型ゼオライト粉末の平均粒子径を測定したところ１１７ｎｍであった。また、実施例１と同じ手法によって、比較例５に係るＤＤＲ型ゼオライト粉末の結晶相がＤＤＲ型であることを確認した。【００９８】
（比較例８）
湿式粉砕で作製したＤＤＲ型ゼオライト種結晶分散溶液を一度乾燥させたものを純水に再分散することによってＤＤＲ型ゼオライト種結晶分散溶液を作製した以外は、比較例３と同じ工程でＤＤＲ型ゼオライト粉末を合成した。ＤＤＲ型ゼオライト粉末の回収率は、１−ＡＤＡを基準として９０％以上であった。【００９９】
実施例１と同じ手法によって、比較例８に係るＤＤＲ型ゼオライト粉末の平均粒子径を測定したところ３５２ｎｍであった。また、実施例１と同じ手法によって、比較例８に係るＤＤＲ型ゼオライト粉末の結晶相がＤＤＲ型であることを確認した。【０１００】
（比較例９）
ＤＤＲ型ゼオライト結晶をボールミルで7日間乾式粉砕したものを純水に分散させることによってＤＤＲ型ゼオライト種結晶分散溶液を作製した以外は、比較例４と同じ工程でＤＤＲ型ゼオライト粉末を合成した。ＤＤＲ型ゼオライト粉末の回収率は、１−ＡＤＡを基準としてほぼ１００％以上であった。【０１０１】
実施例１と同じ手法によって、比較例９に係るＤＤＲ型ゼオライト粉末の平均粒子径を測定したところ４２７ｎｍであった。また、実施例１と同じ手法によって、比較例９に係るＤＤＲ型ゼオライト粉末の結晶相がＤＤＲ型であることを確認した。【０１０２】
（比較例１０）
１．ゼオライト種結晶の作製
実施例１１と同じ手法でＭＦＩ型ゼオライト種結晶分散溶液を作製した。【０１０３】
２．ＭＦＩ型ゼオライト粉末の合成
５ＭＮａＯＨ水溶液５６．７７ｇにＴＰＡＢｒ２．０１ｇと硫酸アルミニウム０．２２ｇ、コロイダルシリカ（ＳｉＯ2３０ｗｔ％溶液）６．００ｇを加えて攪拌した後、ＭＦＩ型ゼオライト種結晶分散溶液を１５．００ｇ加え、６０分攪拌することによって、シリカ飽和アルカリ溶液を調製した。【０１０４】
次に、実施例１１と同様に、シリカ飽和アルカリ溶液を１００ｍｌのテフロン（登録商標）容器に移し、熱風乾燥機を用いて水熱合成（１６０℃、２０時間）することによって、ＭＦＩ型ゼオライト粉末を合成した。そして、テフロン（登録商標）容器を冷却した後、合成したＭＦＩ型ゼオライト粉末を純水４００ｍｌで洗浄した。ＭＦＩ型ゼオライト粉末の回収率は、Ａｌを基準として９０％以上であった。【０１０５】
次に、実施例１と同じ手法によって、比較例１０に係るＭＦＩ型ゼオライト粉末の平均粒子径を測定したところ１９９ｎｍであった。また、実施例１と同じ手法によって、比較例１０に係るＭＦＩ型ゼオライト粉末の結晶相がＭＦＩ型であることを確認した。【０１０６】
【表１】
0006609693.tif 000002
【０１０７】
表１に示すように、ゼオライト種結晶にアルカリ処理を施した以外は比較例１と同じ条件にて水熱合成が行われた実施例１では、ゼオライト粉末の平均粒径を小さくすることができた。これは、シリカ不飽和アルカリ溶液にゼオライト種結晶を解こうさせることによって、１つ１つのゼオライト種結晶が離れた状態で結晶成長させることができたためである。【０１０８】
また、実施例２と比較例２の比較、実施例３，４と比較例３との比較、実施例５と比較例４の比較、実施例６と比較例５の比較、実施例７と比較例６の比較、実施例８と比較例７の比較、実施例９と比較例８の比較、実施例１０と比較例９の比較、及び実施例１１と比較例１０の比較からも、ゼオライト種結晶をアルカリ処理することでゼオライト粉末の平均粒径を小さくできることが確認された。【０１０９】
また、実施例１と実施例５，６の比較、実施例２と実施例７の比較、及び実施例４と実施例８の比較から、アルカリ処理に用いるアルカリ源に関わらずゼオライト粉末の平均粒径を小さくできることが確認された。また、ＥＤＡよりもＮａＯＨを用いた方が、又、ｐＨが高い方がゼオライト粉末の平均粒径がより小さくなる傾向があることが分かった。【０１１０】
また、実施例３と実施例４の比較から、アルカリ処理時間が３０分以上であれば、アルカリ処理時間に関わらずゼオライト粉末の平均粒径を小さくできることが分かった。【０１１１】
また、実施例１と実施例５，６の比較から、アルカリ処理に用いるシリカ不飽和アルカリ溶液のｐＨを１３．９より大きくすることによって、ゼオライト粉末の平均粒径をより小さくできることが分かった。【０１１２】
また、実施例９，１０のいずれにおいても良好な結果を得ることができたことから、ゼオライト結晶を湿式粉砕した後に乾燥させてゼオライト種結晶を作製してもよいし、また、ゼオライト結晶を乾式粉砕してゼオライト種結晶を作製してもよいことが確認された。【０１１３】
また、ＭＦＩ型ゼオライト粉末を合成した実施例１１でも良好な結果を得ることができたことから、本発明の製造方法がＤＤＲ型ゼオライト粉末以外にも有効であることが確認された。
【産業上の利用可能性】
【０１１４】
本発明に係るゼオライト粉末の製造方法によれば、粒子径の小さなゼオライト粉末の製造方法を提供できるためゼオライト分野において有用である。
【図１】
0006609693.tif 000003
【図２】
0006609693.tif 000004
【図３】
0006609693.tif 000005
【図４】
0006609693.tif 000006
【図５】
0006609693.tif 000007